(57)【特許請求の範囲】
【請求項１】
回転自在な操作レバーの傾倒動作に応じた信号を出力する多方向スイッチと、この多方向スイッチの外周を囲むように配置された操作リングの回転動作に応じた信号を出力する回転型電気部品と、前記操作レバーと前記操作リングとの間に介設された係合部材とを具備し、前記係合部材を前記操作レバーの傾倒動作と回転動作のそれぞれに連動させると共に、この係合部材と前記操作リングとを回転方向にのみ動力伝達させたことを特徴とする複合操作型電気部品。
【請求項２】
請求項１の記載において、前記係合部材と前記操作レバーとをスプライン結合し、この操作レバーのプッシュ動作に応じた信号を出力するようにしたことを特徴とする複合操作型電気部品。
【発明の詳細な説明】
【０００１】
【発明の属する技術分野】
本発明は、ロータリスイッチやロータリボリューム等の回転型電気部品としての機能と多方向スイッチとしての機能の両方を有する複合操作型電気部品に関する。
【０００２】
【従来の技術】
従来より、実開昭６４−１１５０３号公報に開示されているように、操作レバーの傾倒操作に応じて４個の押釦スイッチを選択的に動作させる多方向スイッチと、前記操作レバーの回転操作によって動作されるロータリボリュームとを一体的に組み込んだ複合操作型電気部品が知られている。
【０００３】
この複合操作型電気部品は、傾倒可能かつ押し込み可能に保持された操作レバーと、基板の上面に９０度間隔で配置された４個の押釦スイッチと、該基板の下面に配置されたロータリボリュームとを具備しており、操作レバーを任意方向へ傾倒することにより４個の押釦スイッチの１つが選択的に動作され、操作レバーの傾倒動作に応じた４方向の位置検出信号が出力される。また、操作レバーの下端とロータリボリュームの回転軸にはそれぞれ傘歯歯車が取付けられており、操作レバーを押し込みながら回転することにより、両傘歯歯車が噛合して操作レバーの回転力がロータリボリュームに伝達されるようになっており、操作レバーの回転動作に応じた連続的な信号がロータリボリュームから出力される。
【０００４】
【発明が解決しようとする課題】
しかしながら、前述した従来の複合操作型電気部品は、操作レバーの傾倒操作によって動作される押釦スイッチを基板の上面に配置すると共に、操作レバーの回転操作によって動作されるロータリボリュームを基板の下面に配置し、このロータリボリュームの回転軸を基板を挿通して下方へ突出する操作レバーによって動作させるようになっているため、多方向スイッチの構成部品と回転型電気部品であるロータリボリュームとが基板を介して積層され、複合操作型電気部品の高さ寸法が大型化するという問題があった。また、操作レバーの回転力をロータリボリュームに伝達する場合、操作レバーを押し込んで両傘歯歯車を噛合させた状態で回転する必要があるため、ロータリボリュームを動作させる際の操作性が悪いという問題もあった。
【０００５】
【課題を解決するための手段】
本発明は、回転型電気部品の構成部材である操作リングを多方向スイッチの外周を囲むように配置し、この操作リングを操作レバーの回転操作に連動して回転する係合部材によって動作させると共に、この係合部材が操作レバーの傾倒操作に連動して傾倒した際は、係合部材の動きが操作リングに伝達されないように構成した。このように構成すると、回転型電気部品を多方向スイッチの外側に同軸的に配置することができるため、複合操作型電気部品の薄型化を図ることができる。
【０００６】
【発明の実施の形態】
本発明の複合操作型電気部品では、回転自在な操作レバーの傾倒動作に応じた信号を出力する多方向スイッチと、この多方向スイッチの外周を囲むように配置された操作リングの回転動作に応じた信号を出力する回転型電気部品と、前記操作レバーと前記操作リングとの間に介設された係合部材とを具備し、前記係合部材を前記操作レバーの傾倒動作と回転動作のそれぞれに連動させると共に、この係合部材と前記操作リングとを回転方向にのみ動力伝達させた。
【０００７】
前記回転型電気部品としてロータリスイッチやロータリボリューム等の操作リングが回転する電気部品を用いることができ、また、操作リングは３６０度以内の有限回転でも３６０度以上の無限回転でも良い。
【０００８】
前記係合部材と操作リングとを回転方向にのみ動力伝達する手段として、例えば、操作リングの内周面に周方向に所定間隔を存して複数の切欠きを形成し、係合部材の外周面に形成した複数の突起を各切欠き内に挿入させる構成を採用することができ、これとは逆に、操作リングの内周面に形成した突起を係合部材の外周面に形成した切欠き内に挿入させても良い。
【００１０】
また、前記係合部材は操作レバーに一体的に設けても良いが、これら係合部材と操作レバーを別部材で形成してスプライン結合し、この操作レバーのプッシュ動作に応じた信号を出力するように構成すると、操作レバーのプッシュ操作時に係合部材は移動せず、操作レバーのみが単独で下方へ移動するため、操作レバーを軽い力でプッシュ操作することができる。
【００１１】
【実施例】
実施例について図面を参照して説明すると、図１は実施例に係る複合操作型電気部品の非操作状態を示す断面図、図２は該複合操作型電気部品の傾倒操作状態を示す断面図である。実施例に係る複合操作型電気部品は内側の多方向スイッチと外側のロータリスイッチとで構成されており、これら多方向スイッチとロータリスイッチは後述するように一体化されている。
【００１２】
まず、内側の多方向スイッチについて説明すると、この多方向スイッチは合成樹脂製のベース１を具備しており、ベース１上に合成樹脂製のハウジング２が載置されている。ハウジング２はロータリスイッチの外殻を形成するもので、ベース１の凹部１ａとハウジング２の凸部２ａは嵌合している。ハウジング２の上部開放端には合成樹脂製の蓋体３が被着されており、蓋体３の中央の孔に合成樹脂製の駆動体４が嵌合している。駆動体４には金属製の操作レバー５が挿入されており、これら駆動体４と操作レバー５は一体的に傾倒可能であるが、両者４，５はスプライン結合されて軸線方向へ相対移動できるようになっている。
【００１３】
前記ベース１の内底面に第１の固定接点６とコモン接点７が配設され、これら接点６，７は端子として外部へ導出されている。コモン接点７上に第１の固定接点６と接離する第１の可動接点板８が載置されており、これら第１の固定接点６と第１の可動接点板８とで１つの常開スイッチＳ１が構成されている。第１の可動接点板８と操作レバー５の下端との間に押圧片９と緩衝ゴム１０が介設されている。また、前記駆動体４に第２の可動接点板１１がインサート成形等の手段を用いて固定されて係合部材が構成されており、第２の可動接点板１１の外周縁に複数、例えば８つの突部１１ａが周方向に所定間隔を保って形成されている。ベース１の内底面と第２の可動接点板１１との間に導電性のコイルばね１２が介設されており、第２の可動接点板１１はコイルばね１２の付勢力によって蓋体３の下面に圧接されている。蓋体３の下面に複数、例えば８つの第２の固定接点１３が周方向に所定間隔を保って配設されており、これら第２の固定接点１３は端子として外部へ導出され、その一部はベース１の下面側に折り曲げられている。これら第２の固定接点１３群と第２の可動接点板１１とで８つの常閉スイッチＳ２が構成され、各常閉スイッチＳ２と常開スイッチＳ１はコイルばね１２を介して導通されている。
【００１４】
次に、外側のロータリスイッチについて説明すると、このロータリスイッチは、前述したハウジング２と、ハウジング２の内部に回転可能に保持された合成樹脂製の操作リング１４とを具備している。ハウジング２の内底面には複数のパターン接点１５群が周方向に所定間隔を保って配設されており、これらパターン接点１５は端子として外部へ導出されている。操作リング１４の内周面の上部に複数、例えば８つの切欠き１４ａが形成されており、前記第２の可動接点板１１の各突部１１ａはこれら切欠き１４ａ内にそれぞれ挿入されている。また、操作リング１４の下面に摺動子１６が取り付けられており、摺動子１６はパターン接点１５群上を摺動するようになっている。さらに、操作リング１４の上面にカム山１４ｂが形成されており、前記蓋体３の下面に取り付けられたクリック板１７がカム山１４ｂと係脱することによってクリック感（節度感）が生起されるようになっている。
【００１５】
このように構成された複合操作型電気部品において、多方向スイッチを操作する場合は、図１の中立位置に保持された操作レバー５を任意方向へ傾けると、操作レバー５は傾倒方向の反対側に位置する第２の可動接点板１１と第２の固定接点１３の当接部、すなわち図２で示す支点Ｏを中心として回動し、８個の常閉スイッチＳ２のうち１つだけオンしたまま残りが全てオフになる。さらに操作レバー５を同方向へ傾倒すると、操作レバー５の下端が緩衝ゴム１０と押圧片９を介して第１の可動接点板８を押圧し、第１の可動接点板８が第１の固定接点６に接触した時点で常開スイッチＳ１がオンになる。その結果、常開スイッチＳ１と１つの常閉スイッチＳ２との間に導通路が形成されるため、例えば、第１の固定接点６と各第２の固定接点１３間の出力信号をマイコンに取り込めば、どの第２の固定接点１３からオン信号が出力されるかによって操作レバー５の傾倒方向を判定できる。この場合、第２の可動接点板１１の各突部１１ａは操作リング１４の切欠き１４ａ内を回動するため、操作リング１４は操作レバー５の傾倒操作の妨げにならない。
【００１６】
また、操作レバー５を図１の中立位置で押し込むと、駆動体４と第２の可動接点板１１は移動せず、操作レバー５のみが真下に移動して緩衝ゴム１０と押圧片９を介して第１の可動接点板８を押圧する。そして、第１の可動接点板８が第１の固定接点６に接触した時点で、常開スイッチＳ１と全ての常閉スイッチＳ２との間に導通路が形成されるため、各第２の固定接点１３からの８つのオン信号に基づいてマイコンが操作レバー５のプッシュ動作を検出できる。
【００１７】
一方、ロータリスイッチを操作する場合は、図１の中立位置に保持された操作レバー５を正逆いずれかの方向へ回転すると、操作レバー５と駆動体４および第２の可動接点板１１が一体的に回転し、この回転が突部１１ａと切欠き１４ａの係合部分を介して操作リング１４に伝達されるため、操作リング１４が操作レバー５に連動して回転する。これにより、クリック板１７とカム山１４ｂとの係脱によりクリック感が生起されると共に、摺動子１６がパターン接点１５群上を摺動して接離するため、操作リング１４の回転量（すなわち、操作レバー５の回転量）に応じたオン／オフ信号が出力される。
【００１８】
なお、内側の多方向スイッチの構造は上記実施例に限定されず、操作レバーの傾倒動作に応じて位置信号を出力するものであれば良い。また、外側の回転型電気部品も上記実施例のロータリスイッチに限定されず、操作リングが３６０度以内の有限回転であるるロータリボリュームに置換することも可能であり、その場合は、操作リングの回転角度を規制するストッパをベース等の固定側部材に設ければ良い。
【００１９】
【発明の効果】
本発明は、以上説明したような形態で実施され、以下に記載されるような効果を奏する。
【００２０】
回転自在な操作レバーの傾倒動作に応じた信号を出力する多方向スイッチと、この多方向スイッチの外周を囲むように配置された操作リングの回転動作に応じた信号を出力する回転型電気部品と、前記操作レバーと前記操作リングとの間に介設された係合部材とを具備し、前記係合部材を前記操作レバーの傾倒動作と回転動作のそれぞれに連動させると共に、この係合部材と前記操作リングとを回転方向にのみ動力伝達させると、回転型電気部品を多方向スイッチの外側に同軸的に配置することができ、複合操作型電気部品の薄型化を図ることができる。
【００２２】
また、前記係合部材と操作レバーを別部材で形成してスプライン結合し、この操作レバーのプッシュ動作に応じた信号を出力するように構成すると、操作レバーのプッシュ操作時に係合部材は移動せず、操作レバーのみが単独で下方へ移動するため、操作レバーを軽い力でプッシュ操作することができる。
【図面の簡単な説明】
【図１】実施例に係る複合操作型電気部品の非操作状態を示す断面図である。
【図２】該複合操作型電気部品の傾倒操作状態を示す断面図である。
【符号の説明】
１  ベース
２  ハウジング
３  蓋体
４  駆動体
５  操作レバー
６  第１の固定接点
７  コモン接点
８  第１の可動接点板
１１  第２の可動接点板
１１ａ  突部
１２  コイルばね１２
１３  第２の固定接点
１４  操作リング
１４ａ  切欠き
１５  パターン接点
１６  摺動子
【図１】
0003694392.tif 000002
【図２】
0003694392.tif 000003